(57)【要約】      （修正有）【課題】簡単な操作で髪を持ち上げた状態に保持でき、髪を簡単にボリュームアップすることができるヘアクリップを提供する。【解決手段】ヘアクリップ１は、櫛状の髪保持部２１，２１を備えた一対の挟持体２，２と、前記一対の挟持体２，２どうしを、前記髪保持部２１，２１間を開閉可能に連結する連結部とを備えており、一対の挟持体２，２に、髪保持部を頭皮４から離間した状態に持ち上げて保持する持ち上げ支持部２２，２２が設けられている。【選択図】図３
2014124318.tif 000002
【特許請求の範囲】
【請求項１】
櫛状の髪保持部を備えた一対の挟持体と、前記一対の挟持体どうしを、前記髪保持部間を開閉可能に連結する連結部とを備えており、前記一対の挟持体に、前記髪保持部を頭皮から離間した状態に持ち上げて支持する持ち上げ支持部が設けられているヘアクリップ。
【請求項２】
前記持ち上げ支持部も櫛状である請求項１記載のヘアクリップ。
【請求項３】
前記一対の挟持体が、共通する回動軸を中心に回動するように連結されており、該回動軸から前記持ち上げ支持部の下端までの距離Ｌ２が、該回動軸から前記髪保持部の下端までの距離Ｌ１より長く、ヘアクリップの使用時に、前記一対の挟持体の前記髪保持部の間隔が１０ｍｍ以下となった後に、前記持ち上げ支持部が前記髪保持部を頭皮から離間した状態に持ち上げるように構成されている請求項１又は２記載のヘアクリップ。
【発明の詳細な説明】
【技術分野】
【０００１】
本発明は、ヘアクリップに関する。
【背景技術】
【０００２】
見た目の髪の量、即ち、髪のボリュームは、人の見た目の印象に大きく影響し、ボリュームが大きい方が、若く見えたり、活き活きとした印象を与えたりする。
髪のボリュームは、例えば、洗髪後の髪を乾かす際に、ブラシで髪を上方に引っ張りつつドライヤーで充分に乾燥させたり、カーラー等を巻いて乾燥させたりして、増大させることができるが、朝に洗髪を行う場合等、洗髪後の乾燥に時間が充分に取れない場合には、髪の根元の乾燥が不十分となって髪にボリュームが出にくい。また、髪を間違った方向に引っ張った状態で乾燥させた場合にも髪にボリュームが出にくい。
【０００３】
ところで、従来、髪を所定形状に保持するためにヘアクリップが用いられており、例えば、特許文献１には、アップスタイルの髪を型崩れしないように止めておくのに適した髪止め具が開示されている。
【先行技術文献】
【特許文献】
【０００４】
【特許文献１】特開平９−１０８０３２号公報
【発明の概要】
【発明が解決しようとする課題】
【０００５】
しかし、髪を容易にボリュームアップ可能な髪止め具等は、未だ提案されていなかった。
【０００６】
本発明は、簡単な操作で髪を持ち上げた状態に保持でき、髪を簡単にボリュームアップすることができるヘアクリップに関する。
【課題を解決するための手段】
【０００７】
本発明は、櫛状の髪保持部を備えた一対の挟持体と、前記一対の挟持体どうしを、前記髪保持部間を開閉可能に連結する連結部とを備えており、前記一対の挟持体に、前記髪保持部を頭皮から離間した状態に持ち上げて支持する持ち上げ支持部が設けられているヘアクリップを提供するものである。
【発明の効果】
【０００８】
本発明のヘアクリップは、簡単な操作で髪を持ち上げた状態に保持することができ、髪を簡単にボリュームアップすることができる。
【図面の簡単な説明】
【０００９】
【図１】図１は、本発明のヘアクリップの一実施形態を示す斜視図である。
【図２】図２は、図１に示すヘアクリップを下方から視た図であり、（ａ）は髪保持部間を閉じた状態（完全閉状態）、（ｂ）は髪保持部間を開いた状態を示す図である。
【図３】図３は、図１に示すヘアクリップの好ましい使用方法の説明図であり、（ａ）髪保持部間を開いて頭皮に当接させた状態を示す図、（ｂ）髪保持部間を狭めて髪を寄せ集める様子を示す図、（ｃ）髪を保持した髪保持部が頭皮から持ち上げられて支持された状態を示す図である。
【図４】図４は、図１に示すヘアクリップを髪に取り付けた状態の一例を示す斜視図である。
【図５】図５は、本発明のヘアクリップの好ましい寸法等の説明図である。
【発明を実施するための形態】
【００１０】
以下、本発明をその好ましい実施形態に基づき図面を参照しながら説明する。
本発明の一実施形態であるヘアクリップ１（以下、単にヘアクリップ１ともいう）は、図１〜図３に示すように、櫛状の髪保持部２１を備えた一対の挟持体２，２と、一対の挟持体２，２どうしを、髪保持部２１間を開閉可能に連結する連結部３とを備えており、一対の挟持体２，２に、髪保持部２１を頭皮から離間した状態に持ち上げて支持する持ち上げ支持部２２が設けられている。
【００１１】
本実施形態のヘアクリップ１について、より具体的に説明する。
図３（ｃ）に示すように、一対の挟持体２，２は、回動軸ｃ方向から見て左右対称（面対称）に配され、両者間に髪４１を挟むことによって、ヘアクリップ１を髪４１に取り付けることを可能とするものである。
本実施形態の一対の挟持体２，２は、それぞれ、操作部２３及び本体部２４を有している。挟持体２の操作部２３は、ヘアクリップ１を、頭皮４上に図３（ｃ）に示すような状態に配置したときに、髪保持部２１間を開閉させる回動軸ｃの高さ位置より上方に位置する部分であり、挟持体２の本体部２４は、同一の状態において回動軸ｃの高さ位置より下方に位置する部分である。本明細書において、上方とは、ヘアクリップ１を図３（ｃ）に示すように頭皮４上に配置した状態において、頭皮４から遠ざかる方向であり、下方とは、同一の状態において、頭皮４に近づく方向である。
【００１２】
連結部３は、図２（ｂ）に示すように、一対の挟持体２，２のそれぞれに突設されたブラケット３１と、重ね合わせたブラケット３１に貫通させた軸部材３２と、トーションばね３３とを有しており、該軸部材３２の中心線が、髪保持部２１間を開閉させる際の回動軸ｃとなる。
一対の挟持体２，２の操作部２３は、トーションばね３３の作用によって、常時、互いに離れる方向に付勢されており、一対の挟持体２，２の本体部２４は、トーションばね３３の作用によって、常時、互いに近づく方向に付勢されている。
そのため、ヘアクリップ１は、操作部２３を指５で加圧しない状態では、図２（ａ）に示すように、髪保持部２１間が閉じた状態となっており、図３（ａ）に示すように、操作部２３を指５で加圧することにより、髪保持部２１間が開いた状態となる。髪保持部２１間が開いた状態とは、図２（ｂ）に示すように、髪保持部２１どうし間に、０（ゼロ）より大きい値の間隔ｄが生じた状態である。
【００１３】
一対の挟持体２，２それぞれの本体部２４は、板状部２０と、該板状部２０の下方に連設された櫛状の髪保持部２１と、持ち上げ支持部２２とを有している。板状部２０は、図１に示すように、操作部２３から連続する板状をなしており、上方に向けて凸に湾曲した下縁部を有している。髪保持部２１は、所定の間隔を設けて一列に並べた複数の櫛歯２１ａからなり、櫛状をなしている。髪保持部２１を構成する櫛歯２１ａは、板状部２０の下縁部から下方に向けて延出している。櫛状の髪保持部２１及びそれを構成する個々の櫛歯２１ａは、前記回動軸ｃと直交する断面において、一対の挟持体２それぞれの内面側に向かって円弧状に湾曲している。挟持体２の内面は、一方の挟持体２の相対向する面である。挟持体２，２のそれぞれにおいて、櫛状の髪保持部２１を構成する櫛歯２１ａの本数は２本以上であることが好ましく、より好ましくは３本以上、更に好ましくは４本以上である。上限は特にないが、例えば３０本以下とすることができる。
【００１４】
本実施形態における持ち上げ支持部２２は、所定の間隔を設けて一列に並べた複数の第２櫛歯２２ａからなり、櫛状をなしている。持ち上げ支持部２２を構成する第２櫛歯２２ａは、髪保持部２１を構成する個々の櫛歯２１ａの中間部に基端を有し、該基端から先端に向かって、櫛歯２１ａとの間の間隔が漸次拡大している。持ち上げ支持部２２及びそれを構成する個々の第２櫛歯２２ａは、前記回動軸ｃと直交する断面において、一対の挟持体２それぞれの外面側に向かって円弧状に湾曲している。なお、
持ち上げ支持部２２及びそれを構成する個々の第２櫛歯２２ａの曲率半径は、図３に示すように、櫛状の髪保持部２１及びそれを構成する個々の櫛歯２１ａの曲率半径より大きい。また、可動片２，２のそれぞれにおいて、櫛状の持ち上げ支持部２２を構成する第２櫛歯２２ａの本数は２本以上であることが好ましく、より好ましくは３本以上、更に好ましくは４本以上である。
【００１５】
図３（ｃ）に示すように、ヘアクリップ１は、完全閉状態において、髪保持部２１の下端２１ｄが、持ち上げ支持部２２の下端２２ｄより上方に位置している。完全閉状態は、一対の挟持体２の本体部２４，２４が、互いに近づく方向に最大限に移動した状態である。本実施形態のヘアクリップ１においては、図３（ｃ）に示すように、一対の挟持体２，２それぞれの内面に間隔保持突起２５が突設されており、図３（ａ）や図３（ｂ）に示す状態から、一対の挟持体２の本体部２４，２４間の距離を縮めていくと、図３（ｃ）に示すように、間隔保持突起２５の先端どうしが突き当たった時点で、一対の挟持体２の本体部２４，２４どうしが、それ以上近づけなくなる。その状態が完全閉状態である。
【００１６】
ヘアクリップ１は、完全閉状態における、髪保持部２１の下端２１ｄと持ち上げ支持部２２の下端２２ｄとの高低差ｔが、好ましくは１ｍｍ以上、より好ましくは５ｍｍ以上である。上限は特にないが、例えば３０ｍｍ以下とすることができる。
【００１７】
次に、上述したヘアクリップ１の好ましい使用方法について図３を参照して説明する。
好ましい使用方法においては、洗髪後にタオルで拭いた髪や、タオルで拭いた後に更にドライヤーで軽く乾燥させた後の髪に対して、ヘアクリップ１を取り付ける。
ヘアクリップ１を取り付ける際には、図３（ａ）に示すように、操作部２３を指５で加圧し、髪保持部２１間を開く。好ましくは、髪保持部２１間を大きく開き、持ち上げ支持部２２の下端２２ｄの位置が、髪保持部２１の下端２１ｄの位置よりも上方に位置するようにする。
そして、その状態のヘアクリップ１を、髪保持部２１間を開いたまま頭皮４に当接させ、その状態で、操作部２３に加える指５の力を弱めると、トーションばね３３の力により、髪保持部２１が互いに近づく方向に移動して、髪保持部２１間の距離ｄが縮まると共に、髪保持部２１間に、髪４１が、頭皮４の法線方向の高さが増した状態に集められる。
そして、図３（ｂ）に示すように、髪保持部２１間の間隔ｄがゼロに近い値となったときに、持ち上げ支持部２２の下端２２ｄが頭皮４に当接する。
そして、その状態から更に指の力を弱めると、互いに近づく方向に移動する一対の持ち上げ支持部２２によって、髪４１を保持した髪保持部２１が、図３（ｃ）に示すように、頭皮４から離間した状態に持ち上げられ、髪４１を保持した髪保持部２１が、頭皮４から離間した状態に安定に保持される。この状態は、ヘアクリップ１から指５を離しても安定に維持される。
【００１８】
本実施形態のヘアクリップ１によれば、上述したように、髪保持部２１間を開いた後、髪４１を挟むだけで、髪保持部２１間に髪４１を保持し、その髪保持部２１を頭皮４から離間した高い位置に保持することができる。そのため、髪保持部２１に保持された髪の根元は、頭皮４に対して良好な角度を持って立ち上がった状態となる。
そのため、その状態で、髪を、自然乾燥、あるいはドライヤー等を用いて乾燥することで、見た目のボリュームが大きい髪が得られる。
なお、図４は、上述した構成のヘアクリップ１を、それぞれ、上述した好ましい使用方法で、髪に取り付けた状態を示す図である。図４には、髪の流れ方向とヘアクリップ１の回転軸ｃの軸長方向を略平行にして髪に取り付けた状態が示されているが、髪の流れ方向に対して非平行にヘアクリップ１を取り付けてもよい。本実施形態のヘアクリップ１は、髪保持部２１が櫛状であるため、髪の流れ方向とヘアクリップ１の回転軸ｃの軸長方向とが非平行でも、髪保持部２１間に髪を安定に保持できるとともに、髪保持部２１間に保持した髪に風を当てやすい。
【００１９】
本実施形態のヘアクリップ１は、図３（ａ）〜図３（ｃ）に示すように、髪保持部２１間を拡げた状態から髪保持部２１間の間隔ｄを減少させたときに、該間隔ｄが１０ｍｍ以下、特に５ｍｍ以下となった後に、持ち上げ支持部２２が髪保持部２１を頭皮４から離間した状態に持ち上げるように設計することが好ましく、該間隔ｄがほぼゼロとなったときに、持ち上げ支持部２２による髪保持部２１の持ち上げが始まるように設計することが更に好ましい。
髪保持部２１間の間隔ｄが広い状態で、髪保持部２１の持ち上げが始まると、髪の保持が不十分な状態で髪保持部２１が持ち上げられることになり、例えば、髪保持部２１間の髪の嵩の増大によるボリュームアップ効果が充分には得られにくくなる。他方、髪保持部２１間の間隔ｄがなくなった後、しばらくしても髪保持部２１の持ち上げが始まらないと、完全閉状態となるまでに、持ち上げ支持部２２が移動可能な距離が減少し、髪保持部２１を持ち上げる高さが低くなる。
【００２０】
また、ヘアクリップの使用時に、図３（ａ）〜図３（ｃ）に示すように、髪保持部２１間を拡げた状態から髪保持部２１間の間隔ｄを減少させたとき、該間隔ｄが１０ｍｍ以下、特に５ｍｍ以下となった後に、持ち上げ支持部２２が頭皮４に当接するように設計することも好ましい。
また、ヘアクリップの使用時に、図３（ａ）〜図３（ｃ）に示すように、髪保持部２１間を拡げた状態から髪保持部２１間の間隔ｄを減少させたとき、該間隔ｄが、髪保持部２１間を最大限に開いた時の間隔の１／３以下、あるいは１／５以下となった後に、持ち上げ支持部２２が髪保持部２１を頭皮４から離間した状態に持ち上げるように設計することも好ましい。
【００２１】
髪保持部２１の髪の保持性及び持ち上げ支持部２２による持ち上げ高さを充分なものとする観点から、図５に示すように、ヘアクリップ１は、回動軸ｃから持ち上げ支持部２２の下端２２ｄまでの距離Ｌ２が、回動軸ｃから髪保持部２１の下端２１ｄまでの距離Ｌ１より長いことが必要であり、距離Ｌ２と距離Ｌ１との差（Ｌ２−Ｌ１）は、好ましくは１ｍｍ以上であり、更に好ましくは１０ｍｍ以上である。
【００２２】
また、同様の観点から、髪保持部２１間の間隔ｄが丁度０（ゼロ）となったときに、一方の挟持体２の髪保持部２１及び持ち上げ支持部２２それぞれの下端２１ｄ，２２ｄと、他方の挟持体２の髪保持部２１及び持ち上げ支持部２２それぞれの下端２１ｄ，２２ｄとが、図５に示すように、曲率半径が２２〜３０ｃｍの円弧Ｒ上に位置することが好ましく、曲率半径が２６〜２８ｃｍの円弧Ｒ上に位置することがより好ましい。この曲率半径は、成人の頭部の曲率を想定したものである。
【００２３】
また、回動軸ｃと持ち上げ支持部２２の下端２２ｄとを結ぶ直線Ｌ４と、回動軸ｃと髪保持部２１の下端２１ｄとを結ぶ直線Ｌ３のなす角度θは、好ましくは５°以上、より好ましくは１０°以上であり、また、好ましくは６０°以下、より好ましくは４５°以下であり、また、好ましくは５°以上６０°以下、より好ましくは１０°以上４５°以下である。
【００２４】
本実施形態のヘアクリップ１は、トーションばねのみが金属製であり、それ以外の部分はプラスチック製であるが、ヘアクリップ１の形成材料に特に制限はなく、例えば、全体をプラスチック製としても良いし、全体を金属製としても良い。また、挟持体等が、セラミックで形成されていても良い。
【００２５】
以上、本発明の好ましい実施形態について説明したが、本発明は、上述した実施形態に制限されず、本発明の趣旨を逸脱しない範囲で種々変更が可能である。
【００２６】
例えば、持ち上げ支持部２２は、櫛状のものに代えて、一対の挟持体２のそれぞれに２本づつ設けた棒状体等であっても良い。例えば、ヘアクリップの四隅に設けた４本の棒状体からなる持ち上げ支持部２２によっても、髪を保持した髪保持部を持ち上げて支持させることができる。また、一対の挟持体２の本体部２４は、合成ゴム等の、トーションばね以外の付勢手段によって互いに近づく方向に付勢されていても良い。
【００２７】
また、櫛状の持ち上げ支持部２２を構成する第２櫛歯２２ａは、髪保持部２１を構成する櫛歯２１ａの途中に基端を有するものに代えて、板状部２０の下縁部に基端を有するものであっても良い。また、その場合の第２櫛歯２２ａは、回転軸ｃの軸長方向において、髪保持部２１を構成する櫛歯２１ａと同位置に基端を有するものであっても良いし、髪保持部２１を構成する櫛歯２１ａとは異なる位置に基端を有するものであっても良い。更に、櫛歯２１ａ及び第２櫛歯２２ａは、それぞれの基端が板状部２０の下縁部以外の場所に存在していても良い。
【００２８】
また、本発明のヘアクリップは、髪のボリュームアップを意識せずに使用するものであっても良い。使用者の意識の有無に拘わらず、ボリュームアップ効果が期待できる。また、本発明のヘアクリップは、髪の乾燥時間の短縮化等を主目的に用いても良い。
【実施例】
【００２９】
以下、実施例により本発明をさらに詳細に説明する。本発明はこれらの実施例に限定されるものではない。
【００３０】
（実施例１）
人の頭部を摸した頭部モデルにセミロングの長さの頭髪を有するカツラを被せて、シャワーで洗髪した。洗髪後、頭髪を手で絞った後、タオルで拭いた。洗髪前の乾燥状態のカツラの質量は９８１ｇであり、手で絞った後の質量は１０９３ｇであり、タオルで拭いた後の質量は１０６９ｇであった。
次いで、手櫛をしながら４５０Ｗの家庭用のドライヤーで５分間乾燥させた後、図１〜図３に示す形態のヘアクリップを、図４に示すような状態に３つ固定し、その状態で、手櫛をしながら上記ドライヤーで５分間の乾燥を２回行った。
ヘアクリップを付けずに行ったドライヤー乾燥後のカツラの質量は１０３４ｇであり、ヘアクリップを付けて５分乾燥した後の質量は１００５ｇであり、更に５分乾燥した後の質量は９８７ｇであった。
このように乾燥した後の頭頂部の髪のボリュームを測定したところ８〜１５ｍｍであった。
髪のボリュームは、頭皮から髪の最も高い部分までの垂直高さをものさしで測定した。
なお、手櫛とは手指を適度に伸ばした状態で、適当な間隔を広げて開いた状態で毛髪の中に挿入し、すきながら毛髪を整え、伸ばす行為である。手櫛を実施すると髪同士に一時的に空間が生まれるためドライヤーの風を当てる際などに併用して乾燥時間を早める効果も得ることが出来る。
【００３１】
（比較例１）
タオルで拭くまでは、実施例１と同様に行った後、その頭髪を、手櫛をしながら４５０Ｗの家庭用のドライヤーで乾燥させ、実施例１と同程度まで乾燥させた。ヘアクリップは用いなかった。
このようにして乾燥した後の頭頂部の髪のボリュームを測定したところ５〜８ｍｍであった。
【００３２】
実施例１と比較例１の結果の対比から本発明の実施例のヘアクリップによれば、簡単に髪をボリュームアップできることが判る。
【符号の説明】
【００３３】
１  ヘアクリップ
２  挟持体
２，２  挟持体
２０  板状部
２１  髪保持部
２１ａ  櫛歯
２１ｄ  下端
２２  持ち上げ支持部
２２ａ  第２櫛歯
２２ｄ  下端
２３  操作部
２４  本体部
２５  間隔保持突起
３  連結部
３１  ブラケット
３２  軸部材
３３  トーションばね（付勢手段）
４  頭皮
４１  髪
５  指
【図１】
2014124318.tif 000003
【図２】
2014124318.tif 000004
【図３】
2014124318.tif 000005
【図４】
2014124318.tif 000006
【図５】
2014124318.tif 000007